(57)【要約】【課題】修正履歴を印刷された文書に付加して印刷済ページを再利用できる画像形成装置の提供。【解決手段】紙媒体に印刷された印刷文書を読み込んで印刷文書画像を取得する印刷文書画像取得部と、印刷文書をセットする印刷文書カセットと、排紙トレイと、印刷文書を印刷文書カセットから給紙し、排紙トレイに排紙する給排紙制御部と、取得された印刷文書画像を記憶可能な記憶部と、修正された、印刷文書の元データを取得し修正版画像に変換する修正版画像生成部と、印刷文書画像と修正版画像を比較し、印刷文書画像および修正版画像が近似しているか否かを判断する比較部と、印刷文書画像及び修正版画像が近似しており、かつ修正履歴の生成が可能なとき、比較の結果に基づき、修正履歴を生成する修正履歴生成部と、修正履歴が生成されたとき、印刷文書カセットから給紙された印刷文書に修正履歴を付加して印刷し、排紙トレイに排紙させる印刷処理部とを備える。【選択図】図７
2017061084.tif 000002
【特許請求の範囲】
【請求項１】
紙媒体に印刷された印刷文書を読み込んで印刷文書画像を取得する印刷文書画像取得部と、
前記印刷文書をセットする印刷文書カセットと、
排紙トレイと、
前記印刷文書を前記印刷文書カセットから給紙し、前記排紙トレイに排紙する給排紙制御部と、
取得された前記印刷文書画像を記憶可能な記憶部と、
修正された、前記印刷文書の元データを取得し修正版画像に変換する修正版画像生成部と、
前記印刷文書画像と前記修正版画像を比較し、前記印刷文書画像および前記修正版画像が近似しているか否かを判断する比較部と、
前記印刷文書画像および前記修正版画像が近似しており、かつ修正履歴の生成が可能なとき、前記比較の結果に基づき、前記修正履歴を生成する修正履歴生成部と、
前記修正履歴が生成されたとき、前記印刷文書カセットから給紙された前記印刷文書に前記修正履歴を付加して印刷し、前記排紙トレイに排紙させる印刷処理部と
を備えた
画像形成装置。
【請求項２】
請求項１に記載の画像形成装置であって、
前記比較部は、
前記印刷文書画像および前記修正版画像が一致しているか否かを判断し、
前記印刷処理部は、
前記印刷文書画像および前記修正版画像が一致しているとき、前記印刷文書カセットから給紙された前記印刷文書をそのまま前記排紙トレイに排紙させる
画像形成装置。
【請求項３】
請求項２に記載の画像形成装置であって、
白紙がセットされた白紙カセットをさらに備え、
前記印刷処理部は、
前記印刷文書画像および前記修正版画像が近似しており、かつ修正履歴の生成が不可能なとき、前記白紙カセットから給紙された前記白紙に前記修正版画像を印刷し、前記排紙トレイに排紙させる
画像形成装置。
【請求項４】
請求項３に記載の画像形成装置であって、
前記印刷処理部は、
前記印刷文書画像および前記修正版画像が近似していないとき、前記白紙カセットから給紙された前記白紙に前記修正版画像を印刷し、前記排紙トレイに排紙させる
画像形成装置。
【請求項５】
請求項４に記載の画像形成装置であって、
前記修正履歴は、取り消し線および追記により表現される
画像形成装置。
【発明の詳細な説明】
【技術分野】
【０００１】
本発明は、印刷物に印刷後の編集履歴を付加する画像形成装置に関する。
【背景技術】
【０００２】
従来、画像形成装置のコピー機能や印刷機能を用いて複数ページに亘る印刷物や複数部数の印刷物を印刷した後で、一部のページに誤植が発見され、ページの差し替えや追記が必要とされることがあった。
【０００３】
そのため、差し替えを自動化するための様々な工夫がなされてきた。
【０００４】
例えば、特許文献１において開示されている技術では、複数ページからなる印刷文書中に区切りページを設け、該区切りページで区切られた文書単位（区間）のうち、元の文書データにＰＣ（Personal Computer）上のワープロソフトなどで変更等を加えた区間の文書のみを印刷し、該変更区間の印刷結果を自動的に差し替える。
【０００５】
また、例えば、特許文献２の技術では、画像形成装置において、複写済用紙の束をページ順に一時集積部に置き、差し替えページとなる複写済用紙を手差しトレイに置いておく。一時集積部から排紙トレイに差し替えページまでの用紙を画像形成せずに排紙し、差し替えページになったら一時集積部の該当ページの複写済用紙は捨て、手差しトレイから差し替えページを画像形成せずに排紙することで差し替えを行う。
【０００６】
また、例えば、特許文献３の技術では、修正ページの画像を取得し、複数ページに亘る印刷済文書が置かれた第１の給紙部から順に排紙部に排紙し、修正ページが来たら修正ページの画像を白紙が置かれた第２の給紙部から給紙して印刷し排紙部に排紙する。
【先行技術文献】
【特許文献】
【０００７】
【特許文献１】特開２００６−９９１５４号公報
【特許文献２】特開平９−１７９３６２号公報
【特許文献３】特開２０１１−１６７９８５号公報
【発明の概要】
【発明が解決しようとする課題】
【０００８】
以上のように、複数ページに亘る印刷文書や複数部数の印刷文書の一部に誤植が発見された場合、自動的にページ差し替え作業を行うことは出来た。
【０００９】
しかし、印刷後に修正された箇所に関する修正履歴を印刷文書に付加して印刷済ページを再利用することは行われていなかった。
【００１０】
以上のような事情に鑑み、本発明の目的は、修正履歴を印刷文書に付加して印刷済ページを再利用することが出来る画像形成装置を提供することにある。
【課題を解決するための手段】
【００１１】
上記目的を達成するため、本発明の一形態に係る画像形成装置は、紙媒体に印刷された印刷文書を読み込んで印刷文書画像を取得する印刷文書画像取得部と、前記印刷文書をセットする印刷文書カセットと、排紙トレイと、前記印刷文書を前記印刷文書カセットから給紙し、前記排紙トレイに排紙する給排紙制御部と、取得された前記印刷文書画像を記憶可能な記憶部と、修正された、前記印刷文書の元データを取得し修正版画像に変換する修正版画像生成部と、前記印刷文書画像と前記修正版画像を比較し、前記印刷文書画像および前記修正版画像が近似しているか否かを判断する比較部と、前記印刷文書画像および前記修正版画像が近似しており、かつ修正履歴の生成が可能なとき、前記比較の結果に基づき、前記修正履歴を生成する修正履歴生成部と、前記修正履歴が生成されたとき、前記印刷文書カセットから給紙された前記印刷文書に前記修正履歴を付加して印刷し、前記排紙トレイに排紙させる印刷処理部とを備える。そのため、修正履歴を印刷文書に付加することが出来る。
【００１２】
上記目的を達成するため、本発明の一形態に係る画像形成装置では、前記比較部は、前記印刷文書画像および前記修正版画像が一致しているか否かを判断し、前記印刷処理部は、前記印刷文書画像および前記修正版画像が一致しているとき、前記印刷文書カセットから給紙された前記印刷文書をそのまま前記排紙トレイに排紙させる構成でもよい。
【００１３】
上記目的を達成するため、本発明の一形態に係る画像形成装置は、白紙がセットされた白紙カセットをさらに備え、前記印刷処理部は、前記印刷文書画像および前記修正版画像が近似しており、かつ修正履歴の生成が不可能なとき、前記白紙カセットから給紙された前記白紙に前記修正版画像を印刷し、前記排紙トレイに排紙させる構成でもよい。
【００１４】
上記目的を達成するため、本発明の一形態に係る画像形成装置では、前記印刷処理部は、前記印刷文書画像および前記修正版画像が近似していないとき、前記白紙カセットから給紙された前記白紙に前記修正版画像を印刷し、前記排紙トレイに排紙させる構成でもよい。
【００１５】
上記目的を達成するため、本発明の一形態に係る画像形成装置では、前記修正履歴は、取り消し線および追記により表現される構成でもよい。
【発明の効果】
【００１６】
以上のように、本発明によれば、修正履歴を印刷文書に付加することが出来る。
【図面の簡単な説明】
【００１７】
【図１】紙媒体に印刷された文書の例を示す図である。
【図２】紙媒体に印刷された文書の元になった電子データをワードプロセッサー等により編集して得られた修正版の電子データから生成された画像の例を示す図である。
【図３】印刷文書をスキャンして得られた画像と、修正版の画像とを比較し、比較結果に基づき生成された修正履歴の例を示す図である。
【図４】印刷文書のページに、印刷履歴を付加した印刷文書の例を示す図である。
【図５】画像形成装置２０の構成を概略的に示す構成図である。
【図６】画像形成装置２０においてデータが流れる経路を示す図である。
【図７】画像形成装置２０における処理の流れについて説明するためのフローチャートである。
【発明を実施するための形態】
【００１８】
以下、図面を参照しながら、本発明の実施形態を説明する。
【００１９】
［概要］
最初に、概要を説明する。図１から図４は、概要を説明するための図である。
【００２０】
図１は、紙媒体に印刷された文書（以下、印刷文書と呼ぶ）の例を示す図である。
【００２１】
この図に示す例では、「３章  構成図Ａ」という表題の下に、左側に文章が記述され、右側に写真が掲載され、写真の下には「図  ３−１」と記載されている。ページは第７ページである。
【００２２】
図２は、紙媒体に印刷された文書の元になった電子データをワードプロセッサー等により編集して得られた修正版の電子データから生成された画像の例を示す図である。
【００２３】
この図に示す例では、「４章  構成図」という表題の下に、左側に文章が記述され、右側に写真が掲載され、写真の下には「図  ４−１」と記載され、その下に文章が記載されている。ページは第１０ページである。
【００２４】
図３は、上記印刷文書をスキャンして得られた画像（以下、印刷文書画像と呼ぶ）と、修正版の画像とを比較し、比較結果に基づき生成された修正履歴の例を示す図である。修正履歴は、取り消し線および追記により表現することが出来る。
【００２５】
修正履歴は、見易いように、変更された文字のみを取り消し線で消して修正文字を近傍に追記するのではなく、公知の技術により、一塊の文字列を抽出して取り消し線で消し、修正後の文字を含む一塊の文字列として追記してもよい。
【００２６】
例えば、「図  ３−１」が「図  ４−１」に変更されている事を認識した場合、「３」を消して「４」に置き換えるのではなく、「３−１」を消して「４−１」に置き換えている。このようにすることで、修正履歴を見易くしている。
【００２７】
図４は、上記の印刷文書のページに、上記の修正履歴を付加した印刷文書の例を示す図である。
【００２８】
このように、修正前の印刷文書に修正履歴を付加することで、修正箇所を把握することが出来る。
【００２９】
また、修正版の全ページを再印刷する場合に較べても、修正版の修正ページのみを再印刷する場合に較べても、新たに印刷に要する紙媒体の枚数を減らすことが出来る。
【００３０】
以上、概要を説明した。
【００３１】
［画像形成装置の構成］
次に、本発明の一実施形態に係る画像形成装置の構成について説明する。図５は、画像形成装置２０の構成を概略的に示す構成図である。
【００３２】
画像形成装置２０は、制御部２１を備える。制御部２１は、ＣＰＵ（Central Processing Unit）、ＲＡＭ（Random Access Memory）、ＲＯＭ（Read Only Memory）、および専用のハードウェア回路等から構成され、画像形成装置２０の全体的な動作制御を司る。
【００３３】
制御部２１は、原稿読取部２２、画像処理部２３、画像メモリー２４、画像形成部２５、操作部２６、表示部２６ａ、ファクシミリ通信部２７、通信部２８、記憶部２９等と接続されている。制御部２１は、接続されている上記各部の動作制御や、各部との間での信号又はデータの送受信を行う。
【００３４】
なお、画像形成装置２０には、印刷文書カセット３０ａ、白紙カセット３０ｂ、排紙トレイ３１が設けられている。印刷文書カセット３０ａには、ユーザーにより印刷文書がセットされる。白紙カセット３０ｂには、白紙がセットされる。排紙トレイ３１には、印刷文書の各ページまたは白紙を用いて印刷が行われたページが排紙される。
【００３５】
制御部２１は、ユーザーから、操作部２６またはネッワーク接続されたＰＣ等を通じて入力されるジョブの実行指示に従って、スキャナ機能、印刷機能、コピー機能、およびファクシミリ送受信機能などの各機能についての動作制御を実行するために必要な機構の駆動及び処理を制御する。
【００３６】
また、制御部２１は、印刷文書画像取得部２１ａ、修正版画像生成部２１ｂ、比較部２１ｃ、修正履歴生成部２１ｄ、印刷処理部２１ｅ、および給排紙制御部２１ｆを有している。制御部２１は、印刷文書画像取得部２１ａ、修正版画像生成部２１ｂ、比較部２１ｃ、修正履歴生成部２１ｄ、印刷処理部２１ｅ、および給排紙制御部２１ｆは、ＲＯＭなどからＲＡＭにロードされたプログラムがＣＰＵにより実行されることで実現される機能ブロックである。
【００３７】
印刷文書画像取得部２１ａは、ユーザーにより原稿読取部２２にセットされた印刷文書をスキャンし、電子的な画像に変換する。
【００３８】
修正版画像生成部２１ｂは、修正された印刷文書の電子データを取得し、画像に変換する。
【００３９】
比較部２１ｃは、印刷文書の画像と修正版の画像を比較する。
【００４０】
修正履歴生成部２１ｄは、比較部２１ｃの比較結果に基づき、取り消し線や追記などの修正履歴を生成する。
【００４１】
印刷処理部２１ｅは、画像形成部２５を用いて、印刷文書の上に修正履歴を付加したり、新しいページを新規に印刷したりする。
【００４２】
給排紙制御部２１ｆは、印刷文書カセット３０ａまたは白紙カセット３０ｂからの給紙と排紙トレイ３１への排紙を制御する。
【００４３】
原稿読取部２２は、原稿から画像を読み取る。
【００４４】
画像処理部２３は、原稿読取部２２で読み取られた画像の画像データを必要に応じて画像処理する。例えば、画像処理部２３は、原稿読取部２２により読み取られた画像が画像形成された後の品質を向上させるために、シェーディング補正等の画像処理を行う。
【００４５】
画像メモリー２４は、原稿読取部２２による読み取りで得られた原稿画像のデータを一時的に記憶したり、画像形成部２５での印刷対象となるデータを一時的に記憶したりする領域である。
【００４６】
画像形成部２５は、原稿読取部２２で読み取られた画像データ等の画像形成を行う。
【００４７】
操作部２６は、画像形成装置２０が実行可能な各種動作及び処理についてユーザーからの指示を受け付けるタッチパネル部および操作キー部を備える。タッチパネル部は、タッチパネルが設けられたＬＣＤ（Liquid Crystal Display）等の表示部２６ａを備えている。
【００４８】
ファクシミリ通信部２７は、図示しない符号化／復号化部、変復調部、およびＮＣＵ（Network Control Unit）を備え、公衆電話回線網を用いてのファクシミリの送信を行う。
【００４９】
通信部２８は、ＬＡＮボード等の通信モジュールから構成され、通信部２８に接続されたＬＡＮ等を介して、ローカルエリア内の装置(ＰＣ等)と種々のデータの送受信を行う。
【００５０】
記憶部２９は、原稿読取部２２によって読み取られた原稿画像等を記憶する。記憶部２９は、ＨＤＤ（Hard Disk Drive）などの大容量の記憶装置である。
【００５１】
以上、画像形成装置２０の構成について説明した。なお、印刷文書と修正版の電子データから、修正履歴が付加された印刷文書を生成する処理におけるデータが流れる経路は、図６に示す通りである。
【００５２】
［処理の流れ］
次に、画像形成装置２０における処理の流れについて説明する。図７は、画像形成装置２０における処理の流れについて説明するためのフローチャートである。
【００５３】
まず、ユーザーにより原稿読取部２２にセットされた印刷文書を全ページ分スキャンして印刷文書画像取得部２１ａが画像を取得する（ステップＳ１）。なお、印刷文書画像取得部２１ａは、得られた画像を記憶部２９に記憶させる。
【００５４】
次に、スキャンが完了した印刷文書をユーザーが印刷文書カセット３０ａにセットする（ステップＳ２）。
【００５５】
次に、修正版画像生成部２１ｂが、修正された印刷文書の元データを取得し、１ページずつ画像を生成する（ステップＳ３）。
【００５６】
次に、比較部２１ｃが、生成された修正版の画像に近似する印刷文書の画像があるか否かを判断する（ステップＳ４）。なお、画像の比較は、２つの画像間で異なる部分を抽出する公知の技術により行うことが出来る。なお、ここでいう近似か否かの判断は、修正履歴が作成可能であるか否かの判断に置き換えることが出来る。
【００５７】
近似する画像がある場合（ステップＳ４のＹ）、比較部２１ｃは、２つの画像は完全に一致しているか否かを判断する（ステップＳ５）
【００５８】
２つの画像が完全に一致している場合（ステップＳ５のＹ）、給排紙制御部２１ｆは、印刷文書カセット３０ａから対象ページを給紙（ステップＳ６）し、修正履歴の付加は行わず、そのまま排紙トレイ３１に排紙する（ステップＳ７）。
【００５９】
２つの画像が完全には一致していない場合（ステップＳ５のＮ）、修正履歴生成部２１ｄが、取り消し線や追記で修正可能か否かを判断する（ステップＳ９）。
【００６０】
修正履歴生成部２１ｄは、修正版の画像のみにある部分に関しては、追記が必要な部分であると判断し、印刷文書の該当ページ内の余白部分を探して追記するデータを生成する。
【００６１】
また、修正履歴生成部２１ｄは、編集前の印刷文書のみにあり、文字であると判断された部分に関しては、取り消しが必要な部分であると判断し、対象部分に対する取り消し線を生成する。
【００６２】
なお、取り消し線で修正が可能か否かは、取り消し箇所が文字列であるか否かを認識し、取り消す文字列に取り消し線が追加可能であり、修正文字を取り消す文字列の近傍の余白に追記可能か否かで判断する。
【００６３】
また、追記が可能か否かは、既に印刷されている部分と重なる事によるトナーの定着の問題を避けるため、印刷文書の該当ページ内の印刷がされていない余白部分があるか否かで判断する。
【００６４】
取り消し線等で修正可能な場合（ステップＳ９のＹ）、修正履歴生成部２１ｄが、取り消し線や追記部分を生成する（ステップＳ１０）。
【００６５】
次に、給排紙制御部２１ｆが、印刷文書カセット３０ａから対象ページを給紙（ステップＳ１１）し、印刷処理部２１ｅが生成された修正履歴を印刷文書に付加する印刷を行い（ステップＳ１２）、排紙トレイ３１に排紙する（ステップＳ７）。
【００６６】
取り消し線等での修正は不可能な場合（ステップＳ９のＮ）、給排紙制御部２１ｆが白紙カセット３０ｂから白紙を給紙（ステップＳ１３）し、印刷処理部２１ｅが修正版の画像を白紙に印刷し（ステップＳ１４）、排紙トレイに排紙する（ステップＳ７）。
【００６７】
ステップＳ４において、近似する画像が無い場合（ステップＳ４のＮ）、給排紙制御部２１ｆが白紙カセット３０ｂから白紙を給紙（ステップＳ１３）し、印刷処理部２１ｅが修正版の画像を白紙に印刷し（ステップＳ１４）、排紙トレイに排紙する（ステップＳ７）。
【００６８】
修正画像の全ページについて処理が完了していない場合は、ステップＳ３に戻って処理を継続する（ステップＳ８）。
【００６９】
以上、画像形成装置２０における処理の流れについて説明した。
【００７０】
［変形例１］
上記の説明では、修正履歴として、取り消し線および追記を付加する構成としたが、これに限らず、ユーザーの指定により、修正履歴として、取り消し線のみを付加したり、追記のみを付加したりする構成でもよい。
【００７１】
［変形例２］
ユーザーが修正箇所を認識し易いように、修正履歴の部分の色を変えて強調したり、枠で囲んで強調したりしてもよい。
【００７２】
［補足事項］
以上のように、本発明の画像形成装置２０は、紙媒体に印刷された印刷文書を読み込んで印刷文書画像を取得する印刷文書画像取得部２１ａと、前記印刷文書をセットする印刷文書カセット３０ａと、排紙トレイ３１と、前記印刷文書を前記印刷文書カセット３０ａから給紙し、前記排紙トレイ３１に排紙する給排紙制御部２１ｆと、取得された前記印刷文書画像を記憶可能な記憶部２９と、修正された、前記印刷文書の元データを取得し修正版画像に変換する修正版画像生成部２１ｂと、前記印刷文書画像と前記修正版画像を比較し、前記印刷文書画像および前記修正版画像が近似しているか否かを判断する比較部２１ｃと、前記印刷文書画像および前記修正版画像が近似しており、かつ修正履歴の生成が可能なとき、前記比較の結果に基づき、前記修正履歴を生成する修正履歴生成部２１ｄと、前記修正履歴が生成されたとき、前記印刷文書カセット３０ａから給紙された前記印刷文書に前記修正履歴を付加して印刷し、前記排紙トレイ３１に排紙させる印刷処理部２１ｅとを備える。
【００７３】
その他、本発明は、上述の実施形態にのみ限定されるものではなく、本発明の要旨を逸脱しない範囲内において種々変更を加え得ることは勿論である。
【符号の説明】
【００７４】
２０  …  画像形成装置
２１  …  制御部
２１ａ…  印刷文書画像取得部
２１ｂ…  修正版画像生成部
２１ｃ…  比較部
２１ｄ…  修正履歴生成部
２１ｅ…  印刷処理部
２１ｆ…  給排紙制御部
２２  …  原稿読取部
２３  …  画像処理部
２４  …  画像メモリー
２５  …  画像形成部
２６  …  操作部
２６ａ…  表示部
２７  …  ファクシミリ通信部
２８  …  通信部
２９  …  記憶部
３０ａ…  印刷文書カセット
３０ｂ…  白紙カセット
３１  …  排紙トレイ
【図３】
2017061084.tif 000003
【図５】
2017061084.tif 000004
【図６】
2017061084.tif 000005
【図７】
2017061084.tif 000006
【図１】
2017061084.tif 000007
【図２】
2017061084.tif 000008
【図４】
2017061084.tif 000009